(57)【要約】【課題】組付作業性がよい液体容器を提供する。【解決手段】容器本体１の上部に肩体７を取り付け、該肩体７に容器本体１の上端開口を開閉可能に密閉する栓体２２を着脱可能に装着する液体容器において、肩体７に、容器本体１の上部を被覆する滑止手段１８を設け、該肩体７を容器本体１に装着することにより滑止手段１８を容器本体１に一体的に装着する。具体的には、滑止手段１８は、肩体７とは別体のゴム製のもので、肩体７に装着した状態で該肩体７を容器本体１に装着することにより、容器本体１に一体的に装着したものである。【選択図】　図１
2004136944.tif 000002
【特許請求の範囲】
【請求項１】
容器本体の上部に肩体を取り付け、該肩体に容器本体の上端開口を開閉可能に密閉する栓体を着脱可能に装着する液体容器において、
前記肩体に、前記容器本体の上部を被覆する滑止手段を設け、前記肩体を容器本体に装着することにより滑止手段を容器本体に一体的に装着するようにしたことを特徴とする液体容器。
【請求項２】
前記滑止手段は、前記肩体とは別体のゴム製のもので、前記肩体に装着した状態で該肩体を容器本体に装着することにより、容器本体に一体的に装着したものであることを特徴とする請求項１に記載の液体容器。
【発明の詳細な説明】
【０００１】
【発明の属する技術分野】
本発明は、液体容器に関するものである。
【０００２】
【従来の技術】
本発明の液体容器に関連する先行技術文献情報としては次のものがある。
【０００３】
【特許文献１】
特開平１１−２５３３３０号公報
【０００４】
この特許文献１では、容器本体の外周に内向きに窪む凹部を設け、該凹部に滑止手段を配設することにより、容器本体に把持用のハンドルを設けない構成とした金属製保温容器を提供している。
【０００５】
【発明が解決しようとする課題】
しかしながら、前記液体容器は、前記滑止手段の内径を凹部の底、即ち、取付部分の外周面の外径より小さくする必要がある。そのため、該滑止手段を組み付ける際には、その内径が容器本体の最大外径より大きくなるように広げる必要があり、作業性が著しく悪く、生産性が悪いという問題がある。
【０００６】
そこで、本発明では、組付作業性がよい液体容器を提供することを課題とするものである。
【０００７】
【課題を解決するための手段】
前記課題を解決するため、本発明の液体容器は、容器本体の上部に肩体を取り付け、該肩体に容器本体の上端開口を開閉可能に密閉する栓体を着脱可能に装着する液体容器において、前記肩体に、前記容器本体の上部を被覆する滑止手段を設け、前記肩体を容器本体に装着することにより滑止手段を容器本体に一体的に装着することにより滑止手段を容器本体に一体的に装着する構成としている。
【０００８】
前記液体容器によれば、肩体を容器本体に装着することにより、滑止手段を一体的に容器本体に組み付けることができるため、組付作業性を大幅に向上でき、商品の生産性を大幅に向上することができる。
【０００９】
具体的には、前記滑止手段は、前記肩体とは別体のゴム製のもので、前記肩体に装着した状態で該肩体を容器本体に装着することにより、容器本体に一体的に装着したものであることが好ましい。
【００１０】
この場合、例えば、装着した滑止部材は、肩体の下端縁から垂下する部分を上向きに弾性変形させ、この状態で肩体を容器本体に対して上側から圧入する。このようにすれば、滑止部材の内径を、容器本体における装着部分の外径より小くしても、滑止部材を容器本体に対して簡単に組み付けることができる。
【００１１】
【発明の実施の形態】
以下、本発明の実施の形態を図面に従って説明する。
図１は、本発明の実施形態に係る携帯用の液体容器を示す。この液体容器は、容器本体１と、該容器本体１の上部に装着する肩体７と、該肩体７に対して着脱可能に装着する栓体２２とからなる。
【００１２】
前記容器本体１は、内筒２と外筒４とからなる金属製真空二重容器からなる。前記内筒２の内部には、後述する栓体２２が圧接する段部３が設けられている。また、前記外筒４の上部には、肩体７を嵌め込んで固定するための環状の取付溝５が設けられている。さらに、この容器本体１の底には、樹脂製の底体６が装着されている。なお、この容器本体１の胴部の外径は、前記底体６および後述する肩体７の最大外径より小さい。
【００１３】
前記肩体７は、図１および図２に示すように、円筒状をなし、その上端には略逆Ｕ字形状に折り返され、容器本体１の上端縁の口部に嵌合する嵌合部８が設けられるとともに、下端には前記取付溝５に嵌合する突部９が設けられている。また、この肩体７の内周部には、容器本体１の外周部に圧接するリブ１０が設けられている。
【００１４】
前記肩体７の上半部には、栓体２２を螺合して着脱可能に装着するためのネジ部１１が設けられている。このネジ部１１の下部にはフランジ部１２が設けられ、このフランジ部１２の下部に滑止部材装着部１３が設けられるとともに、図示しない紐を装着するための環部１６が設けられている。
【００１５】
前記滑止部材装着部１３には、前記フランジ部１２の下面に位置するように嵌合凹部１４が設けられている。また、この滑止部材装着部１３の下部は、外向きに円弧状に突出する膨出部１５とされている。
【００１６】
前記環部１６は略Ｄ字形状をなし、その基部両側には、図３に示すように、上下方向に延びるように位置決め溝１７が設けられている。
【００１７】
滑止手段である滑止部材１８は、シリコーンやエラストマなどのゴムからなり、図１および図２に示すように、外周部を波状に湾曲させた円筒状のものである。この滑止部材１８の内周部は、前記滑止部材装着部１３の外周に略密着するように設定されている。また、この滑止部材１８の下端内径は、前記容器本体１の外径以下に設けられている。滑止部材１８の上端には、前記嵌合凹部１４に嵌合する嵌合凸部１９が内向きに突設されている。また、この滑止部材１８には、前記環部１６に位置する位置決め凹溝２０が設けられている。この位置決め凹溝２０の切断された内縁には、前記位置決め溝１７に挿通する位置決め凸部２１が設けられている。
【００１８】
前記栓体２２は、図４に示すように、略円錐台形をなし、その内部空間が流路を構成する。この栓体２２の下端外周面には前記容器本体１の段部３に圧接するパッキン２３が装着されている。また、栓体２２の上部外周面には、キャップ３２を着脱可能に螺合するためのネジ部２４が設けられている。さらに、栓体２２の中央部の外周面には、栓カバー２６を強制嵌めするための嵌合溝２５が設けられている。
【００１９】
前記栓カバー２６は、肩体７を介して容器本体１の口部を閉じる円形の蓋部２７と、該蓋部２７から下方に延びる筒状部３０とからなっている。蓋部２７には、前記栓体２２が貫通する孔が形成され、該孔の縁から下方に延びる環状部２８が突設されている。この環状部２８の内面には、前記栓体２２の嵌合溝２５に嵌合する嵌合突部２９が設けられている。また、前記筒状部３０の内面には、前記肩体７のネジ部１１に螺合するネジ部３１が設けられている。
【００２０】
前記キャップ３２は、前記栓体２２の上端を開閉可能に密封するもので、キャップ本体３３、キャップパッキン３４およびストッパー３５からなり、このストッパー３５に前記環部１６に装着した紐の先端を挿通させることにより、該キャップ３２を紛失しないように装着可能とした周知のものである。また、キャップ本体３３の内周部には、栓体２２のネジ部２４に螺合するネジ部３６が設けられている。
【００２１】
次に、前記構成の液体容器の組付方法について説明する。
まず、嵌合凸部１９が上側に位置するように滑止部材１８を肩体７の膨出部１５の側に位置させ、該滑止部材１８を外向きに弾性変形させながら肩体７に無理入れする。
【００２２】
この際、滑止部材１８の位置決め凹溝２０と肩体７の環部１６とを一致させる。これにより、位置決め凹溝２０に設けた位置決め凸部２１が環部１６の位置決め溝１７に挿通された後、滑止部材１８の嵌合凸部１９を肩体７の嵌合凹部１４に嵌合する。
【００２３】
その結果、滑止部材１８が肩体７に対して周方向に回転不可能に位置決めされる。また、嵌合凸部１９と嵌合凹部１４との係合により、滑止部材１８が肩体７から下向きに移動することを防止できる。さらに、滑止部材１８の上端が肩体７のフランジ部１２に当接し、滑止部材１８が肩体７に対して上向きに移動することを防止できる。
【００２４】
ついで、図５に示すように、装着した滑止部材１８において、肩体７の下端縁から垂下する部分を上向きに弾性変形させ、この状態で肩体７を容器本体１に対して上側から圧入する。この際、滑止部材１８における肩体７から垂下する部分を上向きに弾性変形させているため、この部分が容器本体１の外周部に干渉することがなく、圧入作業の妨げになることを防止できる。
【００２５】
前記肩体７の圧入により、該肩体７の突部９が容器本体１の取付溝５に嵌合すると、肩体７は離脱不可能な状態になる。このようにして肩体７を容器本体１に装着すると、弾性変形させた滑止部材１８を下向きに変形させ、原状に戻す。これにより、滑止部材１８が容器本体１の上部を被覆するように、肩体７の装着により容器本体１に一体的に装着される。
【００２６】
その後、栓カバー２６の内部に栓体２２を挿通させ、嵌合突部２９と嵌合溝２５とを嵌合させる。この状態で、栓体２２の下部が容器本体１の口部から内部に挿入されるように栓カバー２６を被せ、該栓カバー２６を肩体７に対して螺合する。これにより、栓体２２を栓カバー２６と一体的に容器本体１に装着することができる。
【００２７】
なお、栓体２２と栓カバー２６とは、それぞれ別に装着してもよい。即ち、容器本体１に対して栓体２２を装着した後、該栓体２２を内部に挿通させるように栓カバー２６を装着してもよい。
【００２８】
最後に、一体化したキャップ３２を栓体２２に螺合させることにより、組付作業が完了する。
【００２９】
このように、本発明の液体容器は、容器本体１に把持用のハンドルを設けない構成であるが、滑止部材１８を設けたものであるため、取り扱いは容易である。
【００３０】
また、この液体容器は、容器本体１への装着部分の外径は、該容器本体１の上下部分の最大外径、即ち、底体６の外径および肩体７の外径より小さい。しかし、本実施形態では、前記滑止部材１８を肩体７に装着した状態で一体的に容器本体１に組み付けるため、その外径寸法に関わらず、簡単に装着することができる。その結果、組付作業性を大幅に向上でき、商品の生産性を大幅に向上することができる。
【００３１】
勿論、滑止部材１８の下端の内径は、容器本体１の外径以下の寸法とされているため、この水洗いの際などに滑止部材１８と容器本体１との間に水が滲入することを防止できる。さらに、その寸法設定も伴い、滑止部材１８の内周部と容器本体１の外周部との摩擦抵抗により、滑止部材１８を確実に取付位置に保持できる。
【００３２】
図６は第２実施形態の液体容器を示す。この第２実施形態では、第１実施形態に示す肩体７の嵌合凹部１４および滑止部材１８の嵌合凸部１９の代わりに、容器本体１の外筒４にフランジ状に突出する鍔部３７を設け、該鍔部３７と前記肩体７のフランジ部１２との間に滑止部材１８の上下端を挟むようにして滑止部材１８の上下方向の移動を防止するようにした点で第１実施形態と相違している。この第２実施形態の液体容器の組付方法は第１実施形態と同様であり、その作用および効果も同様である。
【００３３】
図７は第３実施形態の液体容器を示す。この第３実施形態では、第１実施形態に示す肩体７の嵌合凹部１４および滑止部材１８の嵌合凸部１９の代わりに、肩体７の滑止部材装着部１３に周方向に所定間隔をもって嵌合凸部３８を設けるとともに、滑止部材１８に嵌合凸部３８に嵌合する嵌合凹部３９を設け、これらの嵌合により滑止部材１８の上下方向および周方向の移動を防止するようにした点で第１実施形態と相違している。この第３実施形態の液体容器の組付方法は第１実施形態と同様であり、その作用および効果も同様である。
【００３４】
なお、本発明の液体容器は、前記各実施形態の構成に限定されるものではなく、種々の変更が可能である。
【００３５】
例えば、前記各実施形態では、滑止部材１８を肩体７とは別体のゴムにより形成したが、肩体７と一体に成形してもよい。この場合、容器本体１の上部を被覆するように配置される滑止部材１８の表面には、複数の小突起や凹部、また、複数の線条や溝を設けることが好ましい。また、別体からなる前記滑止部材１８の表面にも複数の小突起や凹部、また、複数の線条や溝を設けてもよい。
【００３６】
【発明の効果】
以上の説明から明らかなように、本発明の液体容器では、前記肩体に、容器本体の上部を被覆する滑止手段を設け、該肩体を容器本体に装着することにより滑止手段を容器本体に一体的に装着する構成としているため、組付作業性を大幅に向上でき、商品の生産性を大幅に向上することができる。
【００３７】
また、前記滑止手段を前記肩体とは別体のゴムにより形成した場合、十分な滑止効果を得ることができる。しかも、肩体の下端縁から垂下する部分を上向きに弾性変形させ、この状態で肩体を容器本体に対して上側から圧入することにより、滑止部材の内径を、容器本体における装着部分の外径より小くしても、滑止部材を容器本体に対して簡単に組み付けることができる。
【図面の簡単な説明】
【図１】本発明の第１実施形態に係る液体容器を示す断面図である。
【図２】肩体と滑止部材とを示す分解斜視図である。
【図３】肩体の要部拡大断面図である。
【図４】栓体の分解断面図である。
【図５】肩体と滑止部材を容器本体に装着する状態を示す断面図である。
【図６】第２実施形態の液体容器を示す断面図である。
【図７】第３実施形態の液体容器の肩体と滑止部材とを示す分解斜視図である。
【符号の説明】
１…容器本体、６…底体、７…肩体、１２…フランジ部、１３…滑止部材装着部、１４…嵌合凹部、１６…環部、１７…位置決め溝、１８…滑止部材、１９…嵌合凸部、２０…位置決め凹溝、２１…位置決め凸部、２２…栓体、２６…栓カバー、３２…キャップ。
【図１】
2004136944.tif 000003
【図２】
2004136944.tif 000004
【図３】
2004136944.tif 000005
【図４】
2004136944.tif 000006
【図５】
2004136944.tif 000007
【図６】
2004136944.tif 000008
【図７】
2004136944.tif 000009